(57)【要約】【課題】伸縮性を有する水着に、体形補整機能をもたせる。【解決手段】ワンピース型水着において、伸縮性を有する生地よりなる表地１の裏側に、パワーネットよりなる裏地２を縫着する。裏地２の前布２ａの上縁にバストカップ３とその両側のパワーネットよりなるバスト脇補整布４を縫着し、前布２ａの腹部にパワーネットよりなる帯状の２本の腹部補整布５を腹部中央部で交差した状態でクロス状に縫い付ける。裏地２の後布２ｂの背部にパワーネットよりなる帯状の２本の背部補整布６を背部中央部で交差した状態でクロス状に縫い付け、又後布２ｂのヒップ部両脇にパワーネットよりなる左右のヒップアップ補整布７を縫着し、水着の着用状態で、裏地２の伸縮性によるボディ締付けに加え、腹部補整布５，背部補整布６，バスト脇補整布４，ヒップアップ補整布７等による締付けにて、ボディラインが美しく整えられるようにした。【選択図】　図１
2004124325.tif 000002
【特許請求の範囲】
【請求項１】
伸縮性を有する生地よりなる水着表地の裏側に、縦方向及び横方向に伸縮性を有する裏地を縫着し、該裏地の腹部に、強い伸縮性を有する布地よりなる帯状の２本の腹部補整布を腹部のほぼ中央部で交差した状態でクロス状に縫い付けて構成したことを特長とする水着。
【請求項２】
請求項１に記載の水着において、腹部補整布を構成する２本の帯状布地の両端部は、裏地と一緒に表地の両脇部に縫合されていることを特徴とする水着。
【請求項３】
伸縮性を有する生地よりなる水着表地の裏側に、縦方向及び横方向に伸縮性を有する裏地を縫着し、該裏地の背部に、強い伸縮性を有する布地よりなる帯状の２本の背部補整布を背部のほぼ中央部で交差した状態でクロス状に縫い付けて構成したことを特徴とする水着。
【請求項４】
請求項３に記載の水着において、背部補整布を構成する２本の帯状布地の両端部は、裏地と一緒に表地の両脇部及び袖ぐり部，襟ぐり部に縫合されていることを特徴とする水着。
【請求項５】
請求項１乃至４の何れかに記載の水着において、裏地のヒップ部には、強い伸縮性を有するヒップアップ補整布が縫い付けられていることを特徴とする水着。
【請求項６】
請求項１乃至５の何れかに記載の水着において、前側の裏地のバスト部には左右のバストカップが縫着され、該左右のバストカップの側縁と表地の両脇部及び袖ぐり部との間には、強い伸縮性を有する布地よりなる左右のバスト脇補整布が縫着されていることを特徴とする水着。
【発明の詳細な説明】
【０００１】
【発明の属する技術分野】
本発明は、水着に関するものである。
【０００２】
【従来の技術】
例えば女性用水着としては、伸縮性を有する生地（トリコット）よりなる前布と後布とを両脇部と肩部と股部とで縫合して構成したワンピース型水着が従来より一般に用いられている。
【０００３】
また、上記のようなワンピース型水着の他に、上（上半身部）と下（パンツ）とが分かれたセパレーツ型（ツーピース型）水着も一般に用いられている。
【０００４】
【発明が解決しようとする課題】
従来の水着は、表地そのものが伸縮性を有する生地で構成され、着用状態ではボディに所定の弾力をもってフィットし、水泳等の身体運動に際し抵抗なく伸縮して適応するようになっている。
【０００５】
しかし、ボディラインを整えるという面に関しては、バスト部の内側にバストカップを縫着するといった程度の対応しか採られておらず、従来の水着は体形補整機能の面で充分とはいえない、という課題を有している。
【０００６】
本発明は、上記のような従来の課題に対処し、水泳等の身体運動に的確に適応すると同時にすぐれた体形補整機能をもった水着を提供することを目的とするものである。
【０００７】
【課題を解決するための手段】
本発明は、伸縮性を有する生地よりなる水着表地の裏側に、縦方向及び横方向に伸縮性を有する裏地を縫着し、該裏地の腹部に強い伸縮性を有する布地よりなる帯状の２本の腹部補整布を腹部のほぼ中央部で交差した状態でクロス状に縫い付け、或はまた該裏地の背部に強い伸縮性を有する布地よりなる帯状の２本の背部補整布を背部のほぼ中央部で交差した状態でクロス状に縫い付けて構成したものである。
【０００８】
上記のようにして構成したことにより、水着着用状態において、表地の伸縮性に加え裏地全体の伸縮性によるボディ締付けにて、ボディラインを美しく整えると共に、特に腹部にクロス状に縫着された２本の腹部補整布による締付け力、または背部にクロス状に縫着された２本の背部補整布による締付け力により、腹部または背部のラインを美しく整える体形補整機能をはたすことができるものである。
【０００９】
また本発明では、上記に加え、強い伸縮性をもった布地よりなるヒップアップ補整布やバスト脇補整布を付加することにより、背部からヒップ部にかけてのボディラインが美しく整えられ、これらによってより一層の体形補整機能向上をはかることができる。
【００１０】
【発明の実施の形態】
以下、本発明の実施の形態に付き、図面を参照して説明する。
【００１１】
図１は、本発明の第１の実施例を示すもので、ワンピース型水着に本発明を適用した例を示している。
【００１２】
図１において、１は伸縮性を有する生地（例えばトリコット等）よりなる表地で、該表地１は従来のものと同様に、前布と後布とを左右の両脇部と肩部と股部とで縫合して構成される。
【００１３】
上記表地１の裏側には、バスト部から肩部にかけての部分以外のほぼ全面に、縦方向及び横方向に強い伸縮性を有するパワーネットよりなる裏地２が縫着される。該裏地２は主として前布２ａと後布２ｂとからなり、前布２ａと後布２ｂの両脇部を表地の両脇部と一緒に縫い込んで取付けられる。裏地２は図１の（Ｂ）及び（Ｃ）において斜線を付して示している。
【００１４】
裏地２において、前布２ａの上縁には所定のカップ形状に成形された左右のバストカップ３の下縁部が縫着されると共に、該左右のバストカップ３の両側部には強い伸縮性を有するパワーネットよりなるバスト脇補整布４が縫い付けられ、該バスト脇補整布４の下縁は前布２ａの上縁の両側部に縫着され、該バスト脇補整布４の側縁は表地１の両脇部と袖ぐり部１ａに縫い付けられる。又、前布２ａの腹部には、少なくとも長手方向に強い伸縮性を有するパワーネットよりなる帯状の２本の腹部補整布５が、腹部のほぼ中央部で交差した状態でクロス状に前布２ａの表地側の面に重ねて縫い付けられ、該２本の腹部補整布５の側端部は前布２ａの側端及び下端両側と一緒に表地１の両脇部及び股くり部１ｃに縫い込まれる。
【００１５】
裏地２の後布２ｂの肩部近傍からウエスト部にかけての背部には、少なくとも長手方向に強い伸縮性を有するパワーネットよりなる帯状の２本の背部補整布６が、背部のほぼ中央部で交差した状態でクロス状に後布２ｂの表地側の面に重ねて縫い付けられ、該２本の背部補整布６の側端部は後布２ｂの側端及び上端と一緒に表地１の両脇部及び袖ぐり部１ａ，襟ぐり部１ｂに縫い込まれる。又、後布２ｂのヒップ部両脇には強い伸縮性を有するパワーネットよりなる左右のヒップアップ補整布７が縫着され、該ヒップアップ補整布７の側縁部は、表地１の両脇下部及び股くり部１ｃに縫い付けられる。
【００１６】
上記のようにして構成されたワンピース型の水着は、着用状態において、表地１の伸縮性に加え裏地２全体の伸縮性によるボディ締付けにて、ボディラインを美しく整えると共に、特に腹部にクロス状に縫着された２本の腹部補整布５による矢印方向の締付け力と、背部にクロス状に縫着された２本の背部補整布６による矢印方向の締付け力とにより、腹部，背部のラインを美しく整えるというすぐれた体形補整機能をはたすものである。上記腹部補整布５と背部補整布６の何れか一方を設けるだけでも良く、そのようにしても裏地２によるボディ締付けと腹部補整布５又は背部補整布６による締付け力とで、ある程度の体形補整機能を果たすことができる。
【００１７】
また、バスト脇補整布４によりバストの両側部が矢印方向に締め付けられることによって、脇の下からバストにかけてのラインが美しく整えられ、更に、ヒップアップ補整布７によるヒップアップ効果によって背部からヒップ部にかけてのボディラインが美しく整えられ、これらによって尚一層の体形補整機能向上をはかることができるものである。
【００１８】
図２及び図３は本発明の第２の実施例を示すもので、上と下にセパレーツされたセパレーツ型（ツーピース型）水着に本発明を適用した例を示している。
【００１９】
図２，３において、１０はランニングシャツ型をなす上（トップス）の表地、１１はパンツ型をなす下（ボトムス）の表地で、いずれも従来のものと同様に伸縮性を有する生地（例えばトリコット等）よりなる。そして、上の表地１０は前布と後布とを両脇部と肩部で縫合して構成される。下の表地１１は左右の前脇布の中央部を縫着して前布を形成し、左右の後脇布の中央部を縫着して後布を形成し、この前布と後布の側縁同士を縫い合せ、且つ股下内側縁同士を縫い合せてパンツ型に構成されるもので、この表地１０及び１１の構成は従来のものと同じである。
【００２０】
ランニングシャツ型をなす上の表地１０の裏側には、バスト部から肩部にかけての部分を除き、その他の部分全体に、縦方向及び横方向に強い伸縮性を有するパワーネットよりなる裏地１２が縫着される。該裏地１２は主として前布１２ａと後布１２ｂとからなり、前布１２ａと後布１２ｂの両脇部及び上下縁部を表地１０の両脇部と袖ぐり部１０ａ，襟ぐり部１０ｂと裾部１０ｃに縫い込んで取付けられる。上記裏地１２は図３の（Ａ）及び（Ｂ）において斜線を付して示している。
【００２１】
裏地１２において、前布１２ａの上縁には、所定のカップ形状に成形された左右のバストカップ１３の下縁部が縫着されると共に、該左右のバストカップ１３の両側部には強い伸縮性を有するパワーネットよりなるバスト脇補整布１４が縫い付けられ、該バスト脇補整布１４の下縁は前布１２ａの上縁の両側部に縫着され、該バスト脇補整布１４の側縁は表地１の両脇部及び袖ぐり部１０ａに縫い付けられる。
【００２２】
後布１２ｂの肩部近傍からウエスト部にかけての背部には、少なくとも長手方向に強い伸縮性を有するパワーネットよりなる帯状の２本の背部補整布１５が、背部のほぼ中央部で交差した状態でクロス状に後布１２ｂの表地側の面に重ねて縫い付けられ、該２本の背部補整布１５の側端部は後布１２ｂの側端及び上端と一緒に表地１０の両脇部及び袖ぐり部１ａ，襟ぐり部１ｂに縫い込まれる。
【００２３】
パンツ型をなす下の表地１１の裏側にも、上の裏地１２と同様に、縦方向及び横方向に強い伸縮性を有するパワーネットよりなる裏地１６が縫着される。該裏地１６は前布１６ａと後布１６ｂとからなり、前布１６ａと後布１６ｂの両脇部及び上下縁部を表地１１の両脇部とウエスト部１１ａ，裾部１１ｂに縫い込むと共に股下内側縁を表地１１の股下内側縁１１ｃに縫い込んで取付けられる。この裏地１６は図３の（Ａ）及び（Ｂ）において斜線を付して示している。
【００２４】
下の裏地１６において、前布１６ａの腹部には、少なくとも長手方向に強い伸縮性を有するパワーネットよりなる帯状の２本の腹部補整布１７が、腹部のほぼ中央部で交差した状態でクロス状に前布１６ａの表地側の面に重ねて縫い付けられ、該２本の腹部補整布１７の側端部は前布１６ａの側端及び上縁と一緒に表地１１の両脇部及びウエスト部１１ａに縫い込まれる。
【００２５】
後布１６ｂのウエスト部には、強い伸縮性を有するパワーネットよりなるウエスト補整布１８が、後布１６ｂの表地側の面に重ねて縫い付けられ、該ウエスト補整布１８の左右端部と上縁部は後布１６ｂと一緒に表地１１の両脇部とウエスト部１１ａに縫い込まれる。
【００２６】
後布１６ｂのヒップ部には、少なくとも長手方向に強い伸縮性を有するパワーネットよりなる左右の帯状のヒップアップ補整布１９が、後布１６ｂの股下付け根部付近から側方へ向かって斜め上向き配置にて、後布１６ｂの表地側の面に重ねて縫い付けられ、該左右のヒップアップ補整布１９の両端は、後布１６ｂと一緒に表地１１の両脇部と股下内側縁１１ｃに縫い込まれる。
【００２７】
上記のようにしてセパレーツされた上と下とを構成したセパレーツ型水着は、着用状態において、上下共に表地１０，１１自体の伸縮性に加え裏地１２，１６の伸縮性によるボディ締付けにて、ボディラインを美しく整えると共に、特に下の腹部にクロス状に縫着された２本の腹部補整布１７による矢印方向の締付け力と、上の背部にクロス状に縫着された２本の背部補整布１５の矢印方向の締付け力とにより、腹部，背部のラインを美しく整えるというすぐれた体形補整機能をはたすものである。　また、上のバスト脇補整布１４によりバストの両側部が矢印方向に締め付けられることによって、脇の下からバストにかけてのラインが美しく整えられ、下のウエスト補整布１８によるウエスト部の締付け、更にはヒップアップ補整布１９によるヒップアップ効果によってウエスト背部からヒップ部にかけてのボディラインが美しく整えられ、これらによってより一層の体形補整機能向上をはかることができるものである。
【００２８】
上記本発明の各実施例において、表地１，１０及び１１の生地としては従来より公知の任意の素材を使用することができる。また、裏地２，１２，１６及び各部の補整布４〜７，１４，１５，１７，１８，１９等として用いられる生地としては強い伸縮性を有する従来より公知の任意の素材を採用することができる。
【００２９】
尚、本発明は上記各実施例の女性用の水着の限らず、男性用のワンピース型或はセパレーツ型水着にも適用できる。但し、男性用に適用する場合は、上記実施例のバストカップ３，１３は省略するものとする。
【００３０】
【発明の効果】
以上のように本発明によれば、水着の表地の裏側に縦横方向に強い伸縮性を有する生地素材よりなる裏地を設けると共に、該裏地の腹部及び又は背部に、少なくとも長手方向に強い伸縮性を有する２本の帯状布をクロス配置させて構成した腹部補整布及び又は背部補整布を縫着したことにより、水着着用状態において、裏地の伸縮性によってボディが全体的に程よく締め付けられると共に、クロス配置の腹部補整布及び又は背部補整布の締付け力により、腹部，背部のラインを美しく整えるというすぐれた体形補整機能をはたすことができるものである。
【００３１】
更に上記加え、バスト脇補整布，ウエスト補整布，ヒップアップ補整布等の付加によって、より一層の大径補整機能の向上をはかることができるもので、水泳用のみならず、例えば水中歩行を楽しむアクアウォーキング用の水着としても効果的なるものである。
【図面の簡単な説明】
【図１】本発明の第１の実施例を示すものであり、（Ａ）はワンピース型の水着の正面図、（Ｂ）は水着の前側を裏から見た図、（Ｃ）は水着の後側を裏から見た図である。
【図２】本発明の第２の実施例を示すもので、上と下にセパレーツされたセパレーツ型水着の正面図である。
【図３】図２に示すセパレーツ型水着の裏面の詳細を示す図で、（Ａ）は水着の前側を裏から見た図、（Ｂ）は水着の後側を裏から見た図である。
【符号の説明】
１　　　　　表地
２　　　　　裏地
２ａ　　　　前布
２ｂ　　　　後布
３，１３　　バストカップ
４，１４　　バスト脇補整布
５，１７　　腹部補整布
６，１５　　背部補整布
７，１９　　ヒップアップ補整布
１０，１１　表地
１２，１６　裏地
１８　　　　ウエスト補整布
【図１】
2004124325.tif 000003
【図２】
2004124325.tif 000004
【図３】
2004124325.tif 000005